【事件の表示】
　特許第２９４９６０９号「文字画像の処理装置」の特許に対する特許異議の申立てについて、次のとおり決定する。
【結　論】
　訂正を認める。
　特許第２９４９６０９号の特許請求の範囲に記載された発明についての特許を取り消す。
【理　由】
１　手続の経緯
　本件特許第２９４９６０９号に係る出願は、昭和６２年９月２２日に出願された特願昭６２−２３７９１８号の一部を平成６年３月１４日に新たな特許出願としたものであって、平成１１年７月９日に特許の設定登録がされ、その後、異議申立人佐藤勝明により特許異議の申立てがなされ、取消理由通知がなされ、その指定期間内である平成１２年１０月３０日に訂正請求がなされたものである。
２　訂正の適否
(1)訂正の内容
　訂正事項ａ
　明細書における特許請求の範囲の記載を、
「【請求項１】コードデータとしての文字データを記録する記録媒体と、
　前記文字データと合成すべき網点を含む画像データを供給する手段と、
　前記文字データから文字のパターンデータを取り出す手段と、
　このパターンデータにおける文字の各頂点位置情報により輪郭線を表した輪郭データを利用して、前記輪郭線の内部を前記画像データで網点形成するように、前記パターンデータと前記画像データとを合成し、網点を構成する複数のドットの１ドット単位で網点入りの文字を作成する合成手段と、
をそなえた文字画像の処理装置。」と訂正する。
　訂正事項ｂ
　明細書における段落【課題を解決するための手段】の記載中、「上記目的のため、本発明では、−−−を提供するものである。」の記載を、
「上記目的のため、本発明では、コードデータとしての文字データを記録する記録媒体と、
前記文字データと合成すべき網点を含む画像データを供給する手段と、前記文字データから文字のパターンデータを取り出す手段と、このパターンデータにおける文字の各頂点位置情報により輪郭線を表した輪郭データを利用して、前記輪郭線の内部を前記画像データで網点形成するように、前記パターンデータと前記画像データとを合成し、網点を構成する複数のドットの１ドット単位で網点入りの文字を作成する合成手段と、をそなえた文字画像の処理装置、を提供するものである。」と訂正する。
　訂正事項ｃ
　明細書における段落【作用】の記載中、「記録媒体における文字のコードデータからパターンデータを得て、−−−文字が作成される」の記載を、
「記録媒体における文字のコードデータからパターンデータを得て、このパターンデータにおける文字の各頂点位置情報により輪郭線を表した輪郭データを求め、画像合成手段により、前記輪郭線の内部を前記画像データで網点形成するように、この輪郭データを利用して前記パターンデータと前記画像データとが合成され、網点を構成する複数のドットの１ドット単位で網点入りの文字が作成される。」と訂正する。
　訂正事項ｄ
　明細書における段落【発明の効果】の記載中、「本発明は上述のように、−−−文字を作成することができる。」の記載を、
「本発明は上述のように、コードデータとしての文字データからパターンデータを求めて、このパターンデータにおける文字の各頂点位置情報により輪郭線を表した輪郭データを利用して、このパターンデータと網点を含む他の画像データとを合成して網点を構成する複数のドットの１ドット単位で網点入りの文字を形成するようにしたため、従来のマスク版を用いる場合に比べ遙かに簡単に網点入りの文字を作成することができる。」と訂正する。
(2)訂正の目的の適否、新規事項の有無、及び特許請求の範囲の拡張、変更の存否
　上記訂正事項ａは、特許請求の範囲の減縮を目的とした明細書の訂正に該当し、訂正事項ｂ、ｃ、及びｄは、上記訂正事項ａに付随的に生じる記載不備を解消するものであって、明りょうでない記載の釈明を目的とした明細書の訂正に該当し、いずれも、新規事項の追加に該当せず、実質上特許請求の範囲を拡張し、又は変更するものではない。
(3)むすび
　したがって、上記訂正は、特許法第１２０条の４第２項、及び第３項で準用する同第１２６条第２、３項の規定に適合するので、当該訂正を認める。
３　特許異議の申立ての概要
　異議申立人は、甲第１号証（特開昭５７−３８４９１号公報）を提出し、請求項１に係る発明の特許は、特許法第２９条第２項の規定に違反してなされたものであるから、取り消すべき旨主張している。
４　特許異議の申立てについての判断
(1)本件発明
　訂正明細書の特許請求の範囲に記載された発明（以下、「本件発明」という。）は、訂正明細書の特許請求の範囲に記載された事項により特定されるとおりのものである（上記２(1)訂正事項ａ参照）。
(2)引用刊行物
　当審が通知した取消しの理由に引用した刊行物１（前記甲第１号証）には、図形表示出力装置に関し、図面とともに次の事項が記載されている。
　ア　「第１図(A)(B)(C)は、本発明に用いるキャラクタ・ジェネレータの形態を説明している。即ち第１図(A)図示の如く図形パターン１が例えば４Ｘ６個の単位領域２で与えられる大きさに表現されるものである場合、当該図形パターン１が単位領域２内に区分されて現われる図形構成片の形状を、第２図を参照して後述する如く、コード化し、当該コードを第１図(C)図示の如くキャラクタ・ジェネレータ３に格納しておくようにされる。」（２頁左上欄１６行〜右上欄４行）
　イ　「図中の符号３はキャラクタ・ジェネレータ、４は印刷のために外部から与えられる外部指示情報５は図形パターンを印刷するに当って指示される後述する画像用メモリ上に格納されるドットの格納先頭アドレスを決定する印刷位置情報、（中略）９は文字内を斜線などでぬりつぶすために指示されるぬりつびしコード、１０は印刷されるべき文字データを指示する文字コード（一般には複数個）を夫々表わしている。また１１は、文字パターン・アドレス計算部であって、文字コード１０にもとづいて１文字づつキャラクタ・ジェネレータ３の内容を読出すアドレスを生成する処理を行なう。１２は、キャラクタ・ジェネレータ読出しレジスタであって、キャラクタ・ジェネレータ３から読出された情報がセットされる。（中略）１４は、ぬりつぶしパターン・メモリであって、斜線などの各種ぬりつぶしパターンが格納されている。」（３頁右上欄１２行〜左下欄１５行）
　ウ　「１５は、重畳処理部であって、文字パターンとぬりつぶしパターンとを重畳せしめる重畳処理を行なう。（中略）１７は、画像用メモリ・リード/ライト制御部であって、上記重畳処理部１５からのライト・データ（ドット情報）を画像用メモリに対して書込んだり、あるいは印刷のために画像用メモリがドット情報を読出したりする処理を行う。１８は、画像用メモリであって、印刷されるべきドット情報を格納している。１９は画像用メモリ１８内に格納されているドット情報の一例であって図示の場合数字「３３」が文字内を黒にぬりつぶした状態にあるものを示している。」（３頁左下欄１５行〜右下欄９行）
　エ　「第５図に図示されているぬりつぶしパターン・メモリ１４には、予め定められた複数種類のぬりつぶしパターン例えば第８図図示の如きぬりつぶしパターン１４−１ないし１４−ｎが格納されており、該ぬりつぶしパターン１４−１ないし１４−ｎとキャラクタ・ジェネレータ３から読出された文字パターンとを重畳処理部１３において重畳させることによってぬりつぶし図形パターンを表示するように構成されている」（５頁左下欄２０行〜右下欄８行）
　オ　「例えば、第９図図示の重畳パターン３１の如き図形パターンを表示せしめる場合、先ず、重畳処理部１５において、ぬりつぶしパターン・メモリ１４上に予め格納されているぬりつぶしパターン１４−２（第８図図示）が読出された上で、リード/ライト制御部１７を介して画像用メモリ１８に格納される。また上記重畳処理部１５において、キャラクタ・ジェネレータ３から文字「３」のパターンが読出されて既に説明した拡大および/または縮小処理がなされた処理パターン３’と上記画像用メモリ１８から読出されたぬりつぶしパターン１４−２との重畳処理が行なわれる。該重畳処理は第９図に図示されている如く、上記処理パターン３’の各ドットについてノット回路３４を介して上記ぬりつぶしパターン１４−２のドットとオア回路３２によって論理積がとられている。その結果、重畳パターン２９として図示されている如く、ぬりつぶしパターン１４−２の中に上記処理パターン３’が白抜きとなったパターンが形成される。更に、重畳処理部１５においてオア回路３３によってぬりつぶしパターン・メモリ１４上から読出されたぬりつぶしパターン１４−５と上記処理パターン３’との論理積がとられることによって、図示の如き重畳パターン３０が形成される。更に、オア回路３５によって上記重畳パターン２９および３０との論理和がとられて図示の如き重畳パターン３１が形成される。そして、該重畳パターン３１はリード/ライト制御部１７を介して画像用メモリ１８に格納される。このようにして画像用メモリ１８に格納された重畳パターン３１は、既に説明した如く上記画像用メモリ１８から読出されて例えば印刷紙面上に印刷される。」（５頁右下欄１１行〜６頁右上欄１行）
」
(3)対比・判断
　本件発明と刊行物１に記載された発明とを対比すると、
　(あ)刊行物１に記載された発明における文字パターン・アドレス計算部１１、キャラクタ・ジェネレータ３、及びキャラクタ・ジェネレータ読出しレジスタ１２からなる手段は、外部指示情報として与えられる印刷されるべき文字データを指示する文字コード１０に基づいて文字パターンを取り出すものであり、（上記イ参照）、文字コード１０は、本件発明における「コードデータとしての文字データ」に相当するから、前記文字パターン・アドレス計算部１１、キャラクタ・ジェネレータ３、及びキャラクタ・ジェネレータ読出しレジスタ１２からなる手段と本件発明の「文字データから文字のパターンデータを取り出す手段」は、「コードデータとしての文字データから文字のパターンデータを取り出す手段」である点で一致する。
　(い)刊行物１に記載された発明における重畳処理部１５は、キャラクタ・ジェネレータ３から読出された文字パターンとぬりつぶしパターン・メモリ１４から読出されたぬりつぶしパターン１４−１ないし１４−ｎとを１ドット単位で重畳して１ビット単位でぬりつぶしパターン入りの文字を作成するものであり（上記ウ〜オ参照）、また、前記文字パターンは図形構成片で表されている（上記ア参照）から、この図形構成片で表される文字パターンは、文字の輪郭線を表し、重畳処理に際し、この輪郭線を表した輪郭データが利用されることが当業者に明らかである。
　したがって、前記重畳処理部３は、輪郭線が文字の各頂点情報で表されている点、及び、ぬりつぶし用画像データが複数のドットからなる網点である点は別として、「このパターンデータにおける文字の輪郭線を表した輪郭データを利用して、前記輪郭線の内部をぬりつぶし用画像データでぬりつぶすように、前記パターンデータと前記ぬりつぶし用画像データとを合成し、１ドット単位でぬりつぶし用画像入りの文字を作成する合成手段」である点で、本件発明の「合成手段」と一致する。
　(う)刊行物１に記載された発明は、文字パターンとぬりつぶしパターンとを重畳処理するものである（上記ア〜オ参照）から、本件発明とは「文字画像の処理装置」である点で一致する。
　したがって、両者は、
「コードデータとしての文字データから文字のパターンデータを取り出す手段と、
　このパターンデータにおける文字の輪郭線を表した輪郭データを利用して、前記輪郭線の内部をぬりつぶし用画像データでぬりつぶすように、前記パターンデータと前記ぬりつぶし用画像データとを合成し、１ドット単位でぬりつぶし用画像入りの文字を作成する合成手段と、をそなえた文字画像の処理装置」
である点で一致し、次の各点で相違する。
(a)本件発明の「合成手段」は、合成のために利用する輪郭データを「パターンデータにおける文字の各頂点位置情報により輪郭線を表した輪郭データ」としているのに対して、刊行物１に記載された発明は、文字の図形構成片により輪郭線を表した輪郭データとしている点。
(b)本件発明の「合成手段」は、ぬりつぶし用画像データを、「複数のドット」で構成された「網点」としているのに対して、刊行物１に記載された発明は、この点について明記がない点。
(c)本件発明は、「コードデータとしての文字データを記録する記録媒体」と、「前記文字データと合成すべき網点を含む画像データを供給する手段」を備えているのに対して、刊行物１に記載された発明は、文字データとしてのコードデータを、外部指示情報として外部から与えるものであり、その文字データを記録する記録媒体や、その文字データを供給する手段を備えてなく、また、ぬりつぶし用画像データは、ぬりつぶしパターン・メモリ１４に格納されたものを利用するものとなっており、そのデータを供給するための手段を備えていない点。
　そこで、相違点(a)について検討すると、
　文字の輪郭線をパターンデータにおける文字の各頂点位置情報により表すことは周知であり、また、輪郭線で表される図形内をぬりつぶす場合には、該図形の各頂点位置情報により輪郭線を表した輪郭データを利用することが当業者に周知の技術である（必要であれば、特開昭６０−７９４７４号公報、特開昭６０−２４５０８６号公報、特開昭６２−１１５５８０号公報、特開昭６２−２９４９５６号公報参照）から、合成のために利用する輪郭データを「パターンデータにおける文字の各頂点位置情報により輪郭線を表した輪郭データ」とすることは、当業者が格別の創意工夫を要することなくなし得ることである。
　次に、相違点(b)について検討すると、
　複数ドットで構成される網点パターンは周知であり（必要であれば、特開昭６２−４０８７６号公報参照）、また、輪郭線で表される図形の内部をどのような種類のぬりつぶしパターンでぬりつぶすかは、当業者が設計に際して適宜決定しうる事項にすぎず、そして、前記網点パターンをぬりつぶしパターンとして用いることを阻害する特段の事情は存在しないから、文字の輪郭線の内部をぬりつぶすぬりつぶし用画像データを、「複数ドット」で構成された「網点」とすることは、当業者が格別の創意工夫を要することなくなし得ることである。
　次に、相違点(c)について検討すると、
　入力された複数のデータを処理手段により処理する場合、該入力データを一旦記録媒体に記録し、この記録媒体に記録されたデータを用いて処理を進めることは、データ処理一般において普通に採用されている周知技術にすぎない。また、文字データと合成すべき画像データ（網点を含む画像データ）を供給する手段を処理装置に備えるか、処理装置外に備えるかは、当業者が適宜選択可能な設計的事項にすぎない。
　したがって、「コードデータとしての文字データを記録する記録媒体」と、「前記文字データと合成すべき網点を含む画像データを供給する手段」を備えることは、当業者が格別の創意工夫を要することなくなし得ることである。
５　むすび
　したがって、本件発明は、刊行物１に記載された発明に基いて、当業者が容易に発明をすることができたものであるから、本件発明の特許は、特許法第２９条第２項の規定に違反してされたものであり、同法第１１３条第２号の規定に該当し、取り消すべきものである。
　よって、結論のとおり決定する。 
【異議決定日】
平成１２年１１月２９日（２０００．１１．２９）
【訂正の要旨】
訂正事項ａ
　明細書における特許請求の範囲の記載を、
「【請求項１】コードデータとしての文字データを記録する記録媒体と、
　前記文字データと合成すべき網点を含む画像データを供給する手段と、
　前記文字データから文字のパターンデータを取り出す手段と、
　このパターンデータにおける文字の各頂点位置情報により輪郭線を表した輪郭データを利用して、前記輪郭線の内部を前記画像データで網点形成するように、前記パターンデータと前記画像データとを合成し、網点を構成する複数のドットの１ドット単位で網点入りの文字を作成する合成手段と、をそなえた文字画像の処理装置。」と訂正する。
訂正事項ｂ
　明細書における段落【課題を解決するための手段】の記載中、「上記目的のため、本発明では、−−−を提供するものである。」の記載を、
「上記目的のため、本発明では、コードデータとしての文字データを記録する記録媒体と、
前記文字データと合成すべき網点を含む画像データを供給する手段と、前記文字データから文字のパターンデータを取り出す手段と、このパターンデータにおける文字の各頂点位置情報により輪郭線を表した輪郭データを利用して、前記輪郭線の内部を前記画像データで網点形成するように、前記パターンデータと前記画像データとを合成し、網点を構成する複数のドットの１ドット単位で網点入りの文字を作成する合成手段と、をそなえた文字画像の処理装置、を提供するものである。」と訂正する。
訂正事項ｃ
　明細書における段落【作用】の記載中、「記録媒体における文字のコードデータからパターンデータを得て、−−−文字が作成される」の記載を、
「記録媒体における文字のコードデータからパターンデータを得て、このパターンデータにおける文字の各頂点位置情報により輪郭線を表した輪郭データを求め、画像合成手段により、前記輪郭線の内部を前記画像データで網点形成するように、この輪郭データを利用して前記パターンデータと前記画像データとが合成され、網点を構成する複数のドットの１ドット単位で網点入りの文字が作成される。」と訂正する。
訂正事項ｄ
　明細書における段落【発明の効果】の記載中、「本発明は上述のように、−−−文字を作成することができる。」の記載を、
「本発明は上述のように、コードデータとしての文字データからパターンデータを求めて、このパターンデータにおける文字の各頂点位置情報により輪郭線を表した輪郭データを利用して、このパターンデータと網点を含む他の画像データとを合成して網点を構成する複数のドットの１ドット単位で網点入りの文字を形成するようにしたため、従来のマスク版を用いる場合に比べ遥かに簡単に網点入りの文字を作成することができる。」と訂正する。
（５４）【発明の名称】
文字画像の処理装置
（５７）【特許請求の範囲】
　　【請求項１】
コードデータとしての文字データを記録する記録媒体と、
前記文字データと合成すべき網点を含む画像データを供給する手段と、
前記文字データから文字のパターンデータを取り出す手段と、
このパターンデータにおける文字の各頂点位置情報により輪郭線を表した輪郭データを利用して、前記輪郭線の内部を前記画像データで網点形成するように、前記パターンデータと前記画像データとを合成し、
網点を構成する複数のドットの１ドット単位で
をそなえた文字画像の処理装置。
【発明の詳細な説明】
　　　【０００１】
　　【産業上の利用分野】
　本発明は印刷用レイアウトシステムに用いられる画像の処理方法および処理装置に関する。
　　　【０００２】
　　【従来の技術】
　従来、印刷製版において文字を扱う場合、図９に示すように、同図（ａ）の写植文字をフィルムに露光し同図（ｂ）に示すマスク版を作成している。そしてこのマスク版に、同図（ｃ）に示す予め用意した平網、グラデーション等の網版を組合わせ、フィルム上に露光することにより同図（ｄ）に示すような所望の網の入った文字が得られる。
　　　【０００３】
　　【発明が解決しようとする課題】
　このように従来は所望の網の入った文字を得るためには、マスク版の作成や網版の準備といった作業を要する。したがって多色文字の場合には作業が煩雑で熟練を要し、多大の時間を要するとか熟練者を確保することを要するなどの問題がある。
　　　【０００４】
　本発明は上述の点を考慮してなされたもので、マスク版を用いることなく所望の網の入った文字を容易に作成することができる文字画像の処理方法および装置を提供することを目的とする。
　　　【０００５】
　　【課題を解決するための手段】
　上記目的達成のため、本発明では、コードデータとしての文字データを記録する記録媒体と、前記文字データと合成すべき網点を含む画像データを供給する手段と、前記文字データから文字のパターンデータを取り出す手段と、このパターンデータにおける文字の各頂点位置情報により輪郭線を表した輪郭データを利用して、前記輪郭線の内部を前記画像データで網点形成するように、前記パターンデータと前記画像データとを合成し、
網点を構成する複数のドットの１ドット単位で
　　　【０００６】
　　【作用】
　記録媒体における文字のコードデータからパターンデータを得て、このパターンデータにおける文字の各頂点位置情報により輪郭線を表した輪郭データを求め、画像合成手段により、前記輪郭線の内部を前記画像データで網点形成するように、この輪郭データを利用して前記パターンデータと前記画像データとが合成され、
網点を構成する複数のドットの１ドット単位で
　　　【０００７】
　　【発明の効果】
　本発明は上述のように、コードデータとしての文字データからパターンデータを求めて、このパターンデータにおける文字の各頂点位置情報により輪郭線を表した輪郭データを利用して、このパータンデータと網点を含む他の画像データとを合成して
網点を構成する複数のドットの１ドット単位で
　　　【０００８】
　　【実施例】
　図１は、本発明にかかる装置を組込んだレイアウトスキャナの全体構成を示したもので、１はスキャナの走査ドラムであり、周面に原稿が貼付されて文字データと合成すべき画像データが取出され、色計算回路２により４色信号Ｃ，Ｍ，Ｙ，Ｂｋとされ、さらにＡＤ変換回路３でディジタル化されてインターフェース４および計算機５を介してメモリー６に格納される。この走査ドラム１は文字画像データを取込むためにも用いられる。計算機５にはまたフロッピーディスク７、およびキーボード８が接続されていてフロッピーディスク７からは文字のコードデータが与えられ、キーボード８からは所望の網パーセントの指示が出せるようになっている。キーボード８は文字のコードデータ入力にも用いることができる。
　　　【０００９】
　文字の中に入れるべき網は、キーボード８から入力される数値データに基づき計算機５の内部で発生された平網、グラデーション画像のデータまたは走査ドラム１からレイアウトシステムに取込まれてメモリー６に予め入力された絵柄の画像データでもよい。
　　　【００１０】
　これ等のデータを画像データと総称する。
　　　【００１１】
　メモリー６には、文字データおよびこの文字データと合成すべき画像データに関する各種データを格納しておく。例えば文字データをコードデータとして取込んだ場合に、コードデータから得られるパターンデータを走査して文字輪郭データを得、これを格納しておく。同様に、走査ドラム１から画像データとして取込んだ場合に、その文字につき輪郭データを得てこの輪郭データをメモリー６に格納しておく。
　　　【００１２】
　計算機５には、更にモニタ１５、マウス１６が接続されており、対話方式で画像処理が行なえ、この処理後のデータをメモリー６に格納しておいてもよい。
　　　【００１３】
　メモリー６に格納された文字輪郭データは、計算機５から線画発生回路１４に与えられ、網点信号Ｃおよびマスク信号Ｍの形成に用いられる。一方、メモリー６に格納された画像データは、計算機５が出力インターフェース９を介して網点発生回路１０に与え、網点信号Ｓの形成に供する。
　　　【００１４】
　網点信号Ｓおよび網点信号Ｃ、マスク信号Ｍは、ともに信号合成回路１１に与えられる。信号合成回路１１は、マスク信号Ｍに基づいて網点信号Ｓと網点信号Ｃとを選択的に取出して露光機ドライブ回路１２に与える。露光機ドライブ回路１２は、これにより露光ドラム１３上のフィルムに露光を行う。
　　　【００１５】
　図２（ａ）は図１における信号形成回路１１の詳細回路構成の一例を示したもので、この回路１１は６個のゲート回路１１ａないし１１ｆにより構成されている。そして、マスク信号Ｍが「Ｌ」のとき網点発生回路１０からの網点信号Ｓｎを露光機ドライブ回路１２に与え、マスク信号Ｍｎが「Ｈ」のとき線画発生回路１４からの網点信号Ｃｎを露光機ドライブ回路１２に与え、スキャナにおける６本の光ビームを制御する。このスキャナのビーム数は、スキャナの種類により異なるが、ここでは説明の便宜上６本とする。
　　　【００１６】
　また同図（ｂ）は、上記６個のゲート回路中のあるゲート回路１１ａの内部構成を示したもので、一対のゲート１１ａ−１，１１ａ−２が設けられている。これ等一対のゲート回路は一方が開のとき他方が閉となるもので、マスク信号Ｍ１が「Ｌ」であればゲート１１ａ−１が開となり、「Ｈ」であればゲート１１ａ−２が開となる。
　　　【００１７】
　図３ないし図６は、文字データについて輪郭データをどのように取出すかを示したものである。図３は、レイアウトシステムに入力されたコードデータに対応するパターンデータの一例を示すもので、文字として「ス」を簡単化して頂点がＰ１ないしＰ１１の１１個としている。即ち「ス」の左下隅に始点Ｐ１を考え、そこから上に向かい左上隅に達し、次いで右に向かって右上隅に達し、更に下に向かって右下隅に、そして左に向かって始点Ｐ１に戻るループを考える。Ｐ１はＰ１１と同一点を指し、その間に９個の頂点があり、各頂点Ｐ１ないしＰ１１は（Ｘ１，Ｙ１）　（Ｘ１１，Ｙ１１）なるＸＹ座標を有する。この各頂点位置情報は原点からＸ方向、Ｙ方向の距離で与えられるもので、この座標による位置情報は寸法を変えることにより異なったものとなる。
　　　【００１８】
　そして、この位置情報としての距離は後の処理の都合上ドット数に変換する。変換は網点当りのドット数を支持することにより行う。
　　　【００１９】
　いま一つの処理例として、スキャナの出力線数が７０網点／ｃｍであり、ドラム回転方向に対して１網点当り２画素（１画素６ドット）軸送りに対して２回転（１回転６ドット）で網点を形成するとする。そして上記４つの頂点中の２つＰ１、Ｐ２につき、位置座標をＸ１＝１０ｍｍ，Ｙ１＝　２０ｍｍ，Ｘ２＝３０ｍｍ，Ｙ２＝４０ｍｍとする。この場合の点Ｐ１の露光開始座標は、
　Ｐｘ１＝１０ｍｍ×７０網点／ｃｍ×６×ｋ１　Ｐｙ１＝２０ｍｍ×７０網点／ｃｍ×６×ｋ２そして点Ｐ２の露光開始座標は、
　Ｐｘ２＝３０ｍｍ×７０網点／ｃｍ×６×ｋ１　Ｐｙ２＝４０ｍｍｘ７０網点／ｃｍ×６×ｋ２　但し、ｋ１，ｋ２は円周方向、送り方向に対する露光画素密度である。
となる。
　　　【００２０】
　上述のように、２回転により１網点を形成することからｋ１＝ｋ２＝２とすると、各頂点Ｐ１、　Ｐ２のうちＰ１は、
　　　　Ｐｘ１＝　８４０
　　　　Ｐｙ１＝１６８０
またＰ２は、
　　　　Ｐｘ２＝２５２０
　　　　Ｐｙ２＝３３６０
となる。
　　　【００２１】
　図４は、第３における位置座標Ｐ１，Ｐ２からなる直線　１と走査ラインとの位置関係を示したものである。この直線は上記２点Ｐ１，Ｐ２を結んだもので、文字の輪郭線に相当する。この輪郭線と交わる走査ラインは、スキャナの露光ドラムの走査方向に相当する。そして、輪郭線と走査ラインとの交点は計算機５で算出されるもので、これらの各交点上のドットが連続して文字の輪郭線をなす。同様に、他の頂点間についても交点が求められ、輪郭が形作られる。
　　　【００２２】
　図５（ａ）、（ｂ）は、図１などにおける網点発生回路１０および線画発生回路１４により形成される、画像データならびに走査ラインに関する網点信号Ｓ，Ｃおよびマスク信号Ｍを示したものである。同図（ａ）において、　１，　２は図３における文字輪郭線を指し、この文字輪郭線　１，　２と交差する走査ラインを想定したとき網点信号Ｓ，Ｃおよびマスク信号Ｍは図５（ｂ）に示す通りとなる。すなわち、走査線が文字形状に対応してマスク信号Ｍが形成され、このマスク信号が「Ｌ」のとき網点信号Ｓが取出され「Ｈ」のとき網点信号Ｃが取出される。
　　　【００２３】
　図６（ａ），（ｂ）は、本発明による処理内容を示すため網点発生回路の出力に基く画像（同図（ａ））と信号合成回路による処理を経たデータに基く画像（同図（ｂ））とを対比して示したものである。
　　　【００２４】
　いま文字輪郭線　１が図におけるように左下から右上に向けて斜めに延びるものであり、左下方延長上に点Ｐ１が、右上方延長上に点Ｐ２があるとし、破線で示すドットで構成する文字輪郭線　　１の右側に所望の画像データを再現するものとする。そして、この文字輪郭線　１の左側にはドットがないようにすることが望ましい。そこで、例えば文字輪郭線　１と重なるドットは黒とし、文字輪郭線　１よりも右側にあるドットも黒とするが、左側にあるドットは白とする。
　　　【００２５】
　この結果図６（ａ）と同（ｂ）との対比から明らかなように、図６（ａ）におけるように文字輪郭線　１からはみ出した部分を有する絵柄が図６（ｂ）におけるように文字輪郭線　１からのはみ出し部分を殆んど含まない画像データとなる。
　　　【００２６】
　このような処理は他の文字輪郭線についても同様に行われ、ドット単位の輪郭線ではあるが理想の直線に近付いた処理が行われ、きれいな文字の仕上りとなる。
　　　【００２７】
　図７はいわゆる割付け台紙を示しており、この割付け台紙にはどのような形状でどのような絵柄、網、グラデーション、文字が配置されるのかという指示が詳細になされている。図示の場合８つの図形Ｆ１，Ｆ８が示されており、それぞれ図形形状中に絵柄Ｃ１…Ｃ５および絵柄を位置決めするのに必要な特徴的な点Ｐ１などが配されていて、更に図形番号Ｆ８「□△○印刷」には文字原稿Ｗ１、およびこの文字原稿Ｗ１の特徴的な点Ｐ８が示されている。そしてこの割付け台紙には下に示すような表が添附されている。
　　　【００２８】
　図８は本発明における作業手順を示したものである。
　　　【００２９】
　まずステップＳ１により上記表に示された内容をメモリー６に格納する。この格納されたデータに基づき作業が行われるわけである。つぎにステップＳ２により走査ドラム１（図１）に貼り込まれた絵柄を画像データとしてメモリー６に格納する。続いて、ステップＳ３により取り込まれた画像データがモニタ１５（図１）に図形形状とともに映し出され、予め割付け台紙上に指示されている絵柄の特徴的な１点（ここではＰ１　Ｐ５）をマウス１６（図１）等によって指示することにより図形と画像データの位置決めを行う。これはよく行われている方法である。
　　　【００３０】
　そして、ステップＳ４では同様に文字のコードデータから認識されたパターンデータをモニタ１５上に映し出し、図形Ｆ８とパターンデータとの位置決めを特徴的な点Ｐ８を用いて行う。位置決めされた時の情報は、メモリー（図１）に格納される。次いでステップＳ５により位置決めされた文字パターンデータから、図３ないし図６を用いて説明した形式で輪郭線データを作成しメモリー６に格納する。
　　　【００３１】
　ここまでの段階で集版するために必要な全てのデータが揃う。これ等ステップＳ１ないしＳ５までの情報をもとにステップＳ６により集版が行われる。原稿１ないし５は位置決めされた情報、図形形状および図形の位置情報から最終印刷画像に配置され、平網データはその指示された網パーセント、図形形状および図形の位置情報から画像データとして最終印刷画像に配置される。文字原稿Ｗ１には、文字輪郭データから図３ないし図６に示した手法により平網データが所望の位置に配置される。また図形形状、文字輪郭線データから作成されたマスク信号を合成し、最終印刷画像のマスク信号としてメモリー６に格納する。
　　　【００３２】
　図１０は表により集版された最終印刷画像で、（ａ）イエロー、（ｂ）マゼンタ、（ｃ）シアン、（ｄ）ブラックの４版を表している。図１１は合成された最終印刷画像のマスク信号から得られ、マスクで（ａ）イエロー、（ｂ）マゼンタ、（ｃ）シアン、（ｄ）ブラックの４版を表わしている。この図の斜線部分はマスク信号が「Ｈ」のときを現わし、それ以外の部分は「Ｌ」を示している。このようにして得られた画像データ（網点信号）およびマスク信号は、図１の装置について説明したように露光ドラム上のフィルムに印刷原稿として焼付けられる。
【図面の簡単な説明】
　　【図１】
　本発明の一実施例の回路構成を示すブロック線図。
　　【図２】
　同図（ａ）、（ｂ）は図１の装置における信号合成回路の詳細回路図。
　　【図３】
　本発明の方法で読み出されたコードデータに対応するパターンデータの説明図。
　　【図４】
　図３のパターンデータから輪郭線を求める方法の説明図。
　　【図５】
　同図（ａ）、（ｂ）は輪郭線を求めるために用いる網点信号Ｓ、網点信号Ｃおよびマスク信号Ｍを示す説明図。
　　【図６】
　同図（ａ）、（ｂ）は輪郭線の形成方法をドットとの関係で示した説明図。
　　【図７】
　割付け台紙を示した図。
　　【図８】
　同図は本発明の画像処理手順を示したフローチャート。
　　【図９】
　同図（ａ）ないし（ｄ）は従来のマスクを用いた文字の処理方法を示した説明図。
　　【図１０】
　最終印刷画像の画像データで示しており、（ａ）イエロー、（ｂ）マゼンタ、（ｃ）シアン、（ｄ）ブラックの４版を示す図。
　　【図１１】
　図形形状文字輪郭データから作成されたマスク信号を合成して作られたマスク信号で得られるマスクで、（ａ）イエロー、（ｂ）マゼンタ、（ｃ）シアン、（ｄ）ブラックの４版のマスクを示す図。
　【符号の説明】
６　磁気ディスク
７　フロッピーディスク
８　キーボード
１１　信号合成回路
１１ａ〜１１ｆ　ゲート回路
１５　モニタ
１６　マウス
Ｐ１〜Ｐ１１　頂点